(57)【要約】【課題】  建設機械の運転室に備えられるモニタにおいて、水温計および燃料残量計を固定的に表示し、他の領域に表示する領域を任意に設定する。【解決手段】  建設機械の画面部１３Ａは、水温計が表示される領域Ｂおよび燃料残量計が表示される領域Ｃが固定的に表示される固定表示領域として設けられるが、通常は油温計が表示されている領域Ａは表示する情報を任意に設定することができる可変表示領域として設けられる。また、領域Ａ、ＢおよびＣの上部に設けられる領域Ｄも可変表示領域として設けられ、この領域Ｄは表示する情報の数に応じて複数の領域にさらに分割される。【選択図】  図１１
2006016915.tif 000002
【特許請求の範囲】
【請求項１】
建設機械の運転室に備えられ、主に前記建設機械の計器類の情報を有する機械状態画面を表示するための画面部と、前記画面部に表示される画面の表示設定の操作を行うためのボタンを複数有するボタン部と、前記画面部の表示制御を行うための表示制御部と、を有し、
前記画面部は複数の領域に分割され、前記分割された複数の領域のうち１乃至複数の領域は予め決められた情報を表示するための固定表示領域として、その他の領域は前記表示制御部に入力される情報の中から選択可能な情報が表示される可変表示領域として前記画面部に表示する画面が作成されることを特徴とする建設機械の表示装置。
【請求項２】
前記固定表示領域には、少なくともエンジン冷却水の温度である水温計または燃料残量計のうち何れか１つ、または前記水温計および前記燃料残量計の２つの情報が表示されることを特徴とする請求項１記載の建設機械の表示装置。
【請求項３】
前記可変表示領域には、前記表示制御部に入力される情報のうち１乃至複数の情報が表示されることを特徴とする請求項１記載の建設機械の表示装置。
【請求項４】
前記画面部は、第１の固定表示領域と第２の固定表示領域と第１の可変表示領域と第２の可変表示領域とに分割され、前記第１の可変表示領域、前記第１の固定表示領域および前記第２の固定表示領域と前記第２の可変表示領域とは上下で分割され、前記第１の可変表示領域と前記第１の固定表示領域と前記第２の固定表示領域とは前記第２の可変表示領域の下部において３等分に分割され、
前記第１の固定表示領域には水温計が、前記第２の固定表示領域には燃料残量計が表示されることを特徴とする請求項１記載の建設機械の表示装置。
【請求項５】
前記第２の可変表示領域は、さらに複数の領域に分割され、これら分割された複数の領域は、夫々任意に表示する情報を選択することができる可変表示領域として構成されることを特徴とする請求項４記載の建設機械の表示装置。
【発明の詳細な説明】
【技術分野】
【０００１】
本発明は、油圧ショベル等の建設機械の運転室に配置される表示装置に関するものである。
【背景技術】
【０００２】
例えば、油圧ショベル等の建設機械は、エンジンによって油圧ポンプを駆動して、この油圧ポンプから出力される圧油が作動各部に装着した油圧シリンダや油圧モータに供給されるようになっている。このような作動各部は、運転室内にオペレータが搭乗して、操作レバー等の操作手段により操作されて、土砂の掘削等の作業が行われる。
【０００３】
建設機械の運転室には、オペレータに建設機械の作動状況を視認させるために各種の計器類が設けられている。このような計器類により表示されるものとしては、例えば、冷却水の水温計、作動油の油温計、燃料の残量計、エンジンの回転数計等がある。また、その他にも、建設機械を稼動している時間を示すアワーメータ、ゲートロックレバーが正規の位置にあるか否かの情報等も適宜表示することができる。
【０００４】
以上のように、建設機械に関する各種情報は一括して液晶ディスプレイ等のモニタにより表示するようになってきている。ところで、このようなモニタは、オペレータの視界を確保するという観点から、その形状はできるだけコンパクトであることが好ましい。従って、このように限られた表示領域を有するモニタを使用する場合、上述した全ての情報を見易く表示することはできないため、この表示領域内で、オペレータが必要な情報を適宜選択して表示する必要がある。特に、近年の建設機械は多機能化の傾向にあるため、それに伴い表示する情報も増加の傾向を辿っているため、限られた表示領域内に表示する情報を適格に選択しなければならない。ここで、通常時には、冷却水の温度（以下、水温計という）、作動油の油温計（以下、油温計という）、燃料の残量計（以下、燃料残量計という）等の情報を含む機械状態画面を表示しておき、他の情報を表示するときには、この画面を切り替えて表示するようにする。
【０００５】
ところで、上述した水温計、油温計および燃料残量計は、その値に応じてゲージの傾斜角が変化するアナログ形式で表示されるものであり、比較的大きな表示領域に表示される。ここで、水温計および燃料残量計については表示の必要度は高いが、油温計はこれら２種類の情報と比較して表示の必要度は低いものである。
【０００６】
従って、この油温計が表示されている領域を、他の情報を表示することができるようにすると、新たに情報を表示する領域が生まれるため、この領域を有効利用することができる。このように油温計が表示されている領域に代えて、バッテリ電圧、エンジン油圧、作動油温等が異常値になったときにコーションマークを表示するものは従来から知られている（例えば、特許文献１参照。）。
【特許文献１】特開２００２−１２１７７６号公報
【発明の開示】
【発明が解決しようとする課題】
【０００７】
ところで、上述したようなモニタに表示することができる各種情報としては、例えば、水温計、油温計、燃料残量計等の計器類としての情報があるが、計器類の情報は、他に冷却水の残量（以下、冷却水レベルという）、エンジンオイルの残量（以下、エンジンオイルレベルという）、バッテリの残量（以下、バッテリレベル）やエンジン回転数等がある。また、その他にも、バックモニタや掘削位置画像等の画像情報、時計やアワーメータ、アタッチメントの使用時間等の時間情報、セキュリティー機能をＯＮにしているか否かの情報やアタッチメントの種類の情報等の付加情報等がある。さらには、例えば、通常は掘削作業に使用される建設機械の転倒を防止するために吊り荷の制限を行うためのＭＬ（Moment Limiter）機能、オフセット式建設機械を使用するときにフロント作業機が運転室に衝突することを防止するための干渉防止機能、建設機械を管理する管理会社と通信を行うときに使用されるメール機能、各種設定を行うための設定機能等の機能情報等、様々な情報がある。
【０００８】
このように、モニタに表示を行う建設機械に関する情報は様々なものがあるため、これら各種情報の中から、表示領域が限られたモニタに表示する情報を選択して表示する必要がある。このとき、モニタには、水温計や燃料残量計等の表示する必要がある情報を固定的に表示する領域を設け、その他の領域に表示する情報を作業に応じて自由に選択して、さらに表示する情報をオペレータの好みによって自由に配置することができると、オペレータの視認性が高まり、作業の効率性が向上する。
【０００９】
しかしながら、上述した特許文献１の発明においては、油温計が表示されている領域に他の情報を表示することができるものの、この情報としては予め決められたものしか表示することができない。例えば、特許文献１の発明では、この情報としては建設機械の状態に変化が発生した場合に表示するコーションマークのような予め決められた情報しか表示することができない。
【００１０】
このように、油温計に代えて別の情報を表示することができたとしても、予め決まった情報しか表示することができないということは、作業の円滑性、効率性、安全性等という観点から好ましくない。
【００１１】
そこで、本発明は、建設機械に備えられるモニタに固定的に表示される領域以外の領域に表示する情報を自由に選択することができる建設機械の表示装置を提供することを目的とする。
【課題を解決するための手段】
【００１２】
本発明の建設機械の表示装置は、建設機械の運転室に備えられ、主に前記建設機械の計器類の情報を有する機械状態画面を表示するための画面部と、前記画面部に表示される画面の表示設定の操作を行うためのボタンを複数有するボタン部と、前記画面部の表示制御を行うための表示制御部と、を有し、前記画面部は複数の領域に分割され、前記分割された複数の領域のうち１乃至複数の領域は予め決められた情報を表示するための固定表示領域として、その他の領域は前記表示制御部に入力される情報の中から選択可能な情報が表示される可変表示領域として前記画面部に表示する画面が作成されることを特徴とする。
【発明の効果】
【００１３】
本発明は、建設機械の運転室に備えられるモニタの画面部の可変表示領域に作業目的やオペレータの好み等に応じて任意の情報を表示させることにより、作業性の向上、作業の円滑性、安全性を確保することができる。
【発明を実施するための最良の形態】
【００１４】
以下、本発明の実施形態について説明する。図１は、本実施形態に適用される建設機械の一例として油圧ショベルを示す図であり、本実施形態の建設機械はクローラ式の下部走行体１と上部旋回体２と掘削作業手段等を備えるフロント作業機３とから概略構成される。また、上部旋回体２にはオペレータが搭乗して、機械の操作を行うための運転室（キャブ）４が設けられ、この運転室４の内部には、下部走行体１による走行、上部旋回体２による旋回、土砂の掘削等といった作業を行うためのフロント作業機３を構成するブーム３ａ、アーム３ｂ、バケット３ｃの作動等といった操作を行うための操作レバーを含む操作手段が設けられている。  
【００１５】
また、この建設機械の上部旋回体２の後部位置のカウンタウエイト５には後方視野を確保するための監視用のカメラ１０が取り付けられており、フロント作業機３におけるアーム３ｂの先端近傍部には、掘削状態を確認するためのカメラ１１が取り付けられている。さらに、運転室４の上部には、外部と通信を行うためのアンテナ１２ａが設けられる。
【００１６】
運転室４の内部には、図２に示したように、モニタ１３が設置されており、このモニタ１３に各種の情報を表示することにより、オペレータに各種情報を認識させることができるようになっている。通常は掘削作業を目的として使用される建設機械、特に油圧ショベルは、掘削作業を行うための十分な視界を確保するために、モニタ１３はコンパクトである必要がある。このようなモニタ１３は、図２に示されるように、例えばピラー７に取り付けられているものとする。
【００１７】
次に、モニタ１３について説明する。モニタ１３は液晶画面等で構成され、図３に示されるように、各種情報を表示する画面部１３Ａとオペレータや管理者等の操作を行う者（以下、操作者）が操作することができるボタン部１３Ｂとを有して構成される。そして、画面部１３Ａは、複数の表示領域に分割されるが、図３に示されるような例においては、領域Ａ、Ｂ、ＣおよびＤを有する第１の表示領域ＦＡと第２の表示領域ＳＡとに分割され、第１の表示領域ＦＡは画面部１３Ａの大部分を占有し、第２の表示領域ＳＡは画面部１３Ａの下部に細い帯状の領域として形成され、この細い帯状の領域は複数の区画に分割されている。図３に示されるように、第２の表示領域ＳＡは７つの区画に等分に分割されるものとし、これら等分に分割された各区画は区画形成部ＩＦ１乃至ＩＦ７として形成される。一方、第１の表示領域ＦＡは４つの領域Ａ、Ｂ、ＣおよびＤに分割され、領域Ａ、ＢおよびＣと領域Ｄとは第１の表示領域ＦＡの中において上下で２分割され、第１の表示領域ＦＡの領域Ｄ以外の領域を３等分に分割された領域が夫々領域Ａ、ＢおよびＣとして形成される。
【００１８】
これら領域Ａ、ＢおよびＣは、基本的には、油温計、水温計および燃料残量計を表示するための領域であり、領域Ｄは、任意の情報を表示することができる領域である。このように、第１の表示領域ＦＡは、領域Ａ、ＢおよびＣと領域Ｄとにより上下で２分割されるが、領域Ａ、ＢおよびＣは、油温計、水温計および燃料残量計が、その値に応じてゲージの傾斜角が変化するアナログ形式で表示されるため、オペレータが視認しやすいように、領域Ａ、ＢおよびＣは、ある程度の大きさを有して構成される。
【００１９】
ここで、表示領域Ａ、ＢおよびＣのうち、領域ＢおよびＣについては、水温計および燃料残量計が固定的に表示される固定表示領域として設けられる。ここで、固定表示領域とは、図３に示されるような機械状態画面において、表示する情報を設定することができない領域のことをいう。すなわち、機械状態画面における固定表示領域では、常に決まった情報を表示するようにしているため、自由に表示する情報を選択することはできない。ただし、機械状態画面ではない他の画面、例えば後述する第１および第２の設定画面においては、この固定表示領域には別の情報が表示される。これに対して、領域Ａには、基本的には油温計が表示されているものとするが、この領域Ａについては、操作者の設定を行うものが表示する情報を自由に選択することができる可変表示領域として設けられる。ここで、可変表示領域に表示することができる情報としては、後述する表示制御装置２０が取得することができる情報であるとする。また、領域Ｄについても、通常は時計およびアワーメータが表示されるが、この領域Ｄについても、表示する情報を自由に選択することができる可変表示領域として設けられる。
【００２０】
また、領域Ｄは、通常は時計およびアワーメータの２種類の情報を表示するために、さらに分割領域Ｄ１および分割領域Ｄ２の２つの領域に分割される。そして、この領域Ｄに時計およびアワーメータの他にさらに別の情報を表示したい場合は、領域Ｄは表示する情報の数に応じて分割される。
【００２１】
ボタン部１３Ｂはオペレータにより押下されるボタンであり、図３に示されるように、本実施形態では９個のボタンＦ１乃至Ｆ９を有して構成される。すなわち、ボタンＦ１乃至Ｆ７は画面部１３Ａの直下に一列に配置され、ボタンＦ８およびＦ９はボタン部Ｆ１乃至Ｆ７のさらに直下に一列に配置されている。これらのうち、ボタンＦ８は初期の設定を行うための機能を立ち上げるためのボタンであり、ボタンＦ９は建設機械の後方の視野を確保するために設けられる映像を映すためのボタンである。
【００２２】
一方、ボタンＦ１乃至Ｆ７は、これらボタンＦ１乃至Ｆ７の直上にある区画形成部ＩＦ１乃至ＩＦ７に夫々対応ように設けられる。ここで、区画形成部ＩＦ１乃至ＩＦ７には、画面の操作を行うためのアイコンが表示される。例えば、図３において、区画形成部ＩＦ７に表示されている「配置設定」というアイコンＩＣ７は、画面部１３Ａに表示する情報を選択し、配置を決定するための設定画面を呼び出すためのアイコンである。オペレータは、区画形成部ＩＦ１乃至ＩＦ７に表示されるアイコンの直下にあるボタンＦ１乃至Ｆ７を押下することにより、アイコンに基づいた操作を行うことができる。本実施形態では、第２の表示領域ＳＡは７つの区画に分割されているため、異なる７個のアイコンＩＣを同時に表示することができる。
【００２３】
図３において、第２の表示領域ＳＡは７つの区画形成部ＩＦ１乃至ＩＦ７に分割され、これら区画形成部ＩＦ１乃至ＩＦ７の直下に夫々対応するようにボタンＦ１乃至Ｆ７を設けたが、これに限られず、第２の表示領域ＳＡは任意の数の区画に分割することができる。ただし、分割された区画の数が少ない場合、操作を行うためのアイコンの種類が少なくなってしまう。一方、多くの区画に分割されると、表示することができるアイコンの数が増えるために複雑な操作も可能になるが、区画の数に応じてボタンの数も増えてしまい、操作者が意図しないボタンを押下してしまう可能性がある。すなわち、操作者がオペレータである場合、建設機械のオペレータは通常手袋をして操作を行っているため、小型のモニタ１３に多くのボタンを設けると、誤って隣のボタンを押下することがあるため、多くのボタンを設けることは好ましくない。本実施形態では、このような観点から第２の表示領域ＳＡを７つの区画形成部ＩＦ１乃至ＩＦ７に分割し、これら区画形成部ＩＦ１乃至ＩＦ７に対応するようにボタンＦ１乃至Ｆ７を設けたが、これに限られるものではない。
【００２４】
そして、本実施形態のモニタ１３には、画面部１３Ａの表示制御を行うための表示制御装置２０が設けられる。この表示制御装置２０は、画面部１３Ａの各表示領域にどのような情報を表示するかの制御行うための制御装置であるが、画面部１３Ａに表示される情報としては可変表示領域があるため、この可変表示領域に表示する情報は、表示制御装置２０に接続されるセンサや検出器等から取得する。図4に示されるように、本実施形態の表示制御装置２０は、ＲＯＭ（Read Only Memory）２１とＣＰＵ（Central Processing Unit）２２とＲＡＭ(Random Access Memory)２３とボタン入力制御部２４と画面部出力制御部２５と車体通信部２６とアイコン表示位置記憶部２７と表示画面作成部２７と項目設定情報記憶部２８と設定画面記憶部２９とがバス３０を介して接続されている。そして、バス３０には、冷却水センサ４１、作動油センサ４２、燃料残量センサ４３、エンジンオイルセンサ４４およびエンジン回転数センサ４５が接続されており、冷却水センサ４１は冷却水の温度および量を、作動油センサ４２は作動油の温度および量を、燃料残量センサは燃料残量を、エンジンオイルセンサ４４はエンジンオイルの残量を、エンジン回転数センサ４５はエンジンの回転数を、バッテリ残量センサ４６はバッテリの残量をデジタルデータとして表示制御装置２０に常時送っている。なお、建設機械には、上述したようなセンサの他にも、各種センサや検出器等が設けられている。
【００２５】
ＲＯＭ２１は本実施形態の表示制御を行うためのプログラムを格納するための記憶装置であり、ＣＰＵ２２はＲＯＭ２１に格納されているプログラムの実行を行うための処理装置であり、ＲＡＭ２３はプログラムの実行時にワークエリアとして使用される記憶装置である。ボタン入力制御部２４は、ボタンＦ１乃至Ｆ７が押下されたときには、その旨をＣＰＵ２２に出力する制御部である。画面部出力制御部２５は画面部１３Ａに表示される画面の制御を行うための制御部である。車体通信部２６は、車体ネットワーク６０を介して、エンジンや油圧機構等の状態を記憶する情報記録装置５１、エンジンの回転数の制御等を行うエンジン制御装置５２、例えば電磁弁の制御等を行うための油圧制御装置５３と表示制御装置２０との間で行われる情報の授受を制御するための通信部である。表示画面作成部２７は、操作者が設定した内容に基づいて画面部１３Ａに表示する画面のレイアウト（目盛り、針、数字、文字等の表示を含む）を作成するための作成部である。項目設定情報記憶部２８は、項目ごとに表示するか否かの情報とどの領域に表示するかの設定内容を記憶するための記憶部である。設定画面記憶部２９は、表示設定を行うための第１および第２の設定画面を記憶するための記憶部である。
【００２６】
次に、本実施形態の表示制御について、図５のフローチャートを用いて説明する。最初に、図３に示されるように、基本的にはモニタ１３Ａの第１の表示領域には、領域Ａに油温計が、領域Ｂに水温計が、領域Ｃに燃料残量計が、領域Ｄの分割領域Ｄ１に時計が、分割領域Ｄ２にアワーメータが表示されている。そして、第２の表示領域ＳＡの区画形成部ＩＦ７には、画面の設定を行うためのアイコンＩＣ７が表示されている。
【００２７】
以上のように表示がされているモニタ１３において、最初に、操作者がアイコンＩＣ７の直下にあるボタンＦ７を押下する（ステップＳ１）。ボタンＦ７が押下されると、その旨の信号がＣＰＵ２２に出力され、ＣＰＵ２２は設定画面記憶部２９から図６に示されるような第１の設定画面を読み出して、画面部出力制御部２５を制御することにより、画面部１３Ａに第１の設定画面を表示する（ステップＳ２）。
【００２８】
図６の第１の設定画面において、第１の表示領域ＦＡには表示設定を行う対象となる項目を選択するための画面が表示される。表示項目は操作者が表示の設定を行う対象となる項目であり、表示の有無は各項目について表示するか否かを示し、表示位置は各項目を画面部１３Ａのどの領域に表示するかを示す。ここで、図６に示されるように、油温計、時計およびアワーメータの３つの項目の他に追加項目が２つ設けられる。すなわち、領域Ｂは水温計を、領域Ｃは燃料残量計を固定的に表示するための固定表示領域として設けられ、領域Ａおよび領域Ｄは操作者が表示する情報を自由に選択することができる可変表示領域として設けられているため、図６において設定が可能な項目としては、基本的には領域Ａに表示されている油温計、領域Ｄに表示されている時計やアワーメータ等であり、水温計および燃料残量計は、固定表示領域に表示されるものであるため、設定項目の対象外である。なお、特に設定を行っていない場合は、領域Ａには油温計が表示される設定になっている。すなわち、基本的には、計器類として水温計、油温計および燃料残量計の３種類の情報を表示する必要があるため、初期の設定では油温計が領域Ａに表示されるように設定がされている。また、油温計は設定の重要度が高いため、第１の設定画面において、領域Ａの項目は一番先頭に設けられる。
【００２９】
ここで、追加項目としては、例えば、冷却水センサ４１が検出する冷却水の量、作動油センサ４２が検出する作動油の量、エンジンオイルセンサ４４が検出するエンジンオイルの量、エンジン回転数センサ４５が検出するエンジンの回転数、バッテリ残量センサ４６が検出するバッテリの残量等がある。また、他にも、燃費を検出するセンサやブレーキの油圧を検出するセンサ等が設けられる場合には、これらセンサが検出する値を追加項目として設けることもできる。すなわち、表示制御装置２０に情報を入力することができるものであれば、任意のものを追加項目の候補として設けることができる。
【００３０】
そして、操作者は第１の設定画面から設定を行う項目を選択する。この項目の選択はカーソル（図６において背景が斜線の箇所）により行う。ここで、図６に示されるように、第２の表示領域ＳＡの区画形成部ＩＦ４には「上」というアイコンＩＣ４が、ＩＦ５には「下」というアイコンＩＣ５が、ＩＦ６には「変更」というアイコンＩＣ６が、ＩＦ７には「確定」というアイコンＩＣ７が新たに表示されている。これらのうち、「上」というアイコンＩＣ４はカーソルを１個上に移動させるものであり、「下」というアイコンＩＣ５はカーソルを１個下に移動させるものであり、「変更」というアイコンＩＣ６は画面の表示設定を決定するためのものであり、「確定」というアイコンＩＣ７は全ての設定を確定して、設定内容を反映させた画面に戻るためのものである。
【００３１】
操作者は、アイコンＩＣ４またはＩＣ５の直下にあるボタンＦ４またはＦ５を押下することにより、設定を行う対象となる項目の位置までカーソルを移動し（ステップＳ３）、その項目の位置でボタンＦ６を押下することにより設定を行う対象となる項目を決定する（ステップＳ４）。
【００３２】
ボタンＦ６が押下された旨の信号がＣＰＵ２２に入力されると、ＣＰＵ２２は設定画面記憶部２９から第２の設定画面を読み出して、画面部出力制御部２５を制御して、画面部１３Ａに第２の設定画面を表示する（ステップＳ５）。第２の設定画面において、表示の有無とは設定を行う対象となる項目を表示するか否かを示し、表示の位置とは領域Ａまたは領域Ｄの何れに表示するかを示す。
【００３３】
このような第２の設定画面で、操作者は選択された項目の表示の有無と表示する領域を決定する。このとき、第２の設定画面では、第２の表示領域ＳＡの区画形成部ＩＦ２には「左」というアイコンＩＣ２が、ＩＦ３には「右」というアイコンＩＣ３が、ＩＦ４には「上」というアイコンＩＣ４が、ＩＦ５には「下」というアイコンＩＣ５が、ＩＦ６には「変更」というアイコンＩＣ６が、ＩＦ７には「戻る」というアイコンＩＣ７が新たに表示されている。これらアイコンのうち、アイコンＩＣ２乃至ＩＣ５は、カーソルを左右上下に動かすものであり、アイコンＩＣ６は第２の設定画面における設定内容を確定させるものであり、アイコンＩＣ７は第２の設定画面における設定内容を確定させないで第１の設定画面に戻るためのものである。
【００３４】
操作者はアイコンＩＣ２乃至ＩＣ５の直下にあるボタンＦ２乃至Ｆ５を押下することにより、カーソルを移動させ、表示の有無および表示の位置の夫々について設定を行い、ボタンＦ６を押下することにより設定内容を確定させる（ステップＳ６）。
【００３５】
このとき、ボタンＦ６が押下された旨の信号がＣＰＵ２２に入力されると、ＣＰＵ２２は設定された各項目の表示の有無および表示する領域についての設定内容を項目設定情報記憶部２９に記憶する。
【００３６】
その後、ＣＰＵ２２は、設定画面記憶部２９から第１の設定画面を読み出して、画面部出力制御部２６を制御して、第１の設定画面を画面部１３Ａに表示する（ステップＳ７）。操作者は、さらに他の項目について表示の有無および表示する領域の設定を行うときには、ステップＳ３以降の作業を続行させる。一方、他の項目についての設定を行わない場合は、ボタンＦ７を押下する（ステップＳ９）。このボタンＦ７が押下されると、ＣＰＵ２２は、表示画面作成部２７に画面部１３Ａに表示される画面のレイアウトを作成するように指示を出す。表示画面作成部２７は、項目設定情報記憶部２８に記憶された各項目の設定内容に基づいて画面部１３Ａに表示する画面のレイアウトを作成し、画面部１３Ａのようなレイアウトが表示されるように画面部出力制御部２７を制御する。このとき、油温計を領域Ａではなく領域Ｄに表示するときは、表示領域が小さくなるために、縮小して表示するか、例えばデジタル形式やバー形式等に変換した画面を作成する。また、時計やアワーメータ等を領域Ｄではなく領域Ａに表示するときは、表示領域が大きくなるために、拡大して表示するか、時計であればアナログ形式等に変換した画面を作成する。
【００３７】
以上説明したように、本実施形態では、通常は油温計が表示されている領域Ａにそのまま油温計を表示することも可能であるし、油温計に代えて別の項目を表示することも可能である。また、油温計、水温計または燃料残量計等の計器類が表示される領域Ａ、ＢまたはＣ以外の領域Ｄについても表示する項目を自由に設定することができる。この項目は、時計やアワーメータ等の情報に限られず、表示制御装置２０が得ることができる情報であればよいため、現在建設機械に備えられている機構はもとより、新たに追加された機構についても、その機構についての情報を表示制御装置２０に出力することにより、油温計に代えて領域Ａに表示することができる。
【００３８】
なお、本実施形態では、機械状態画面から第１の設定画面に遷移するときに、ボタンＦ７を使用したが、例えば、メニューボタンであるボタンＦ８が押下されたときに機械状態画面から第１の設定画面に遷移するようにすると、機械状態画面において、第２の表示領域ＳＡも領域Ａ、Ｂ、Ｃに割り当てることができるし、別の情報を表示するための新たな領域として設けることもできる。すなわち、機械状態画面において、第２の表示領域ＳＡの区画形成部Ｄ７に表示されている「配置設定」というアイコンＩＣ７に対応するボタンＦ７を押下することにより、機械状態画面から第１の設定画面に遷移するようにしたが、例えば、メニューボタンであるボタンＦ８を機械状態画面から第１の設定画面に遷移するように割り当てると、第２の表示領域ＳＡにはアイコンを表示する必要がなくなるため、第２の表示領域ＳＡを領域Ａ、Ｂ、Ｃに割り当てることもできるし、別の情報を表示することもできる。
【００３９】
また、選択できる項目として、油温計、時計、アワーメータおよび追加された２つの追加項目を設けたが、さらに多くの項目を設けてもよい。このように、多くの項目を設けることにより、オペレータが領域Ａに表示することができる選択の幅が広がる。
【００４０】
また、領域Ｂおよび領域Ｃを、夫々水温計および燃料残量計が固定的に表示される固定表示領域として設けたが、水温計または燃料残量計を表示する必要がない場合は、領域Ｂまたは領域Ｃをオペレータが任意に表示の設定を行うことができる可変表示領域として設けてもよい。
【００４１】
また、領域Ａを可変表示領域とし、領域Ｂおよび領域Ｃを固定表示領域としたが、領域Ａ、ＢまたはＣのうち何れか２つの領域を水温計および燃料残量計が表示される固定表示領域とし、残りの１つの領域を可変表示領域としてもよい。
【００４２】
また、画面部１３Ａを領域Ａ、Ｂ、ＣおよびＤの４つの領域に分割したが、これら４つの領域の形状は必ずしも固定されているものではなく、伸縮自在に構成してもよい。
【００４３】
さらに、区画形成部ＩＦ１乃至ＩＦ７に表示されるアイコンＩＣ１乃至ＩＣ７とボタンＦ１乃至Ｆ７とが対応するようにボタンＦ１乃至Ｆ７は区画形成部ＩＦ１乃至ＩＦ７の直下に設けたが、アイコンＩＣ１乃至ＩＣ７とボタンＦ１乃至Ｆ７とが対応していることをオペレータが容易に把握することができれば、例えば画面部１３Ａの直上位置や直近した左右位置等のように、モニタ１３の任意の位置に設けられてもよい。
【実施例１】
【００４４】
次に、実施例１について説明する。本実施例では、油温計、エンジンの回転数計、燃費およびアタッチメントアワーメータの４つの項目を選択することができるものとする。これらのうち、燃費とは現在の建設機械の燃費の状態を表示するためのものであり、アタッチメントアワーメータとはアタッチメントの使用時間を表示するためのものである。本実施例では、このように燃費およびアタッチメントアワーメータを表示するために、車体ネットワーク６０に新たに燃費を取得する機構と、アタッチメントの装着時間を取得する機構とを追加する。
【００４５】
また、領域Ｄは、分割領域Ｄ１、Ｄ２、Ｄ３およびＤ４の４つの領域に分割されるものとする。本実施例では、このうち、分割領域Ｄ１およびＤ２については時計およびアワーメータが固定的に表示されるものとし、任意に選択できる領域としては、領域Ａ、分割領域Ｄ３およびＤ４の３つの領域であるものとする。そして、領域Ａには油温計が表示されるように設定されているが、分割領域Ｄ３およびＤ４については何も表示されていない設定がされているものとする。
【００４６】
本実施例では、操作者は、油温計を非表示状態にし、領域Ａにエンジンの回転数計を表示し、分割領域Ｄ３にアタッチメントアワーメータを、分割領域Ｄ４に燃費を表示するように設定するものとする。
【００４７】
最初に、図３に示されるような画面において、「配置設定」というアイコンＩＣ７の直下にあるボタンＦ７を押下すると、図８のような第１の設定画面が表示される。オペレータは、油温計を非表示状態にするため、「上」というアイコンＩＣ４の直下にあるボタンＦ４または「下」というアイコンＩＣ５の直下にあるボタンＦ５を押下することにより油温計の項目にカーソルを移動し、「変更」というアイコンＩＣ６の直下にあるボタンＦ６を押下することにより項目を決定する。
【００４８】
ボタンＦ６が押下されると、図９のような第２の設定画面が表示される（ステップＳ５）。そして、操作者は、油温計を非表示状態にするために、「左」というアイコンＩＣ２に対応するボタンＦ２または「右」というアイコンＩＣ３に対応するボタンＦ３を押下することにより、表示の有無を「表示しない」にカーソルを移動する。これにより、油温計は非表示状態となるため、表示の位置については、カーソルを示す背景の斜線をなくし、表示の位置についてはカーソルを移動できなくするようにしてもよい。この状態で、「変更」というアイコンＩＣ６の直下にあるボタンＦ６を押下すると、油温計の項目については表示しないという情報が項目設定情報記憶部２８に記憶される。
【００４９】
そして、画面は第２の設定画面から第１の設定画面に遷移するため、操作者は同様の操作を行い、エンジンの回転数計については領域Ａに表示させるように、アタッチメントアワーメータについては分割領域Ｄ３に、燃費については分割領域Ｄ４に表示させるように設定を行う。このような各項目の設定時において、エンジンの回転数計は領域Ａに表示し、アタッチメントアワーメータについては分割領域Ｄ３に表示し、燃費については分割領域Ｄ４に表示する情報を項目設定情報記憶部２８が記憶する。
【００５０】
全ての項目が終了した後に、第１の設定画面において、「確定」というアイコンＩＣ７の直下にあるボタンＦ７を押下すると、表示画面作成部２７は、項目設定情報記憶部２８から各項目の表示に関する情報を読み出して、領域Ａにはエンジンの回転数計が、分割領域Ｄ３にはアタッチメントアワーメータが、分割領域Ｄ４には燃費が表示されるような画面のレイアウトを作成する。このとき、領域Ｂには水温計が、領域Ｃには燃料残量計が、分割領域Ｄ１には時計が、分割領域Ｄ２にはアワーメータが固定的に表示するための固定表示領域として設けられているため、これら固定表示領域を合わせて画面部１３Ａの第１の表示領域ＭＳに表示される画面のレイアウトを作成して、図１１に示されるような画面のレイアウトに従って表示するように、画面部出力制御部２５を制御して、表示を行う。
【００５１】
以上により、本実施例では、領域Ｂには水温計が、領域Ｃには燃料残量計が、分割領域Ｄ１には時計が、分割領域Ｄ２にはアワーメータが固定的に表示される固定表示領域として設けられているが、領域Ａ、分割領域Ｄ３および分割領域Ｄ４はオペレータが任意に設定することができる可変表示領域として設けられているため、これら領域に表示する項目を自由に設定することができる。従って、オペレータにとってエンジンの回転数が重要である場合には、ある程度の大きさを有する領域Ａにエンジンの回転数計を表示することにより、エンジンの回転数を容易に視認することができる。また、領域Ｄにアタッチメントアワーメータと燃費を表示することにより、アタッチメントの使用時間および現在の建設機械の燃費を把握することができる。
【実施例２】
【００５２】
次に、実施例２について説明する。本実施例では、領域Ｄの分割領域Ｄ１に時計が、分割領域Ｄ２にアワーメータが固定的に表示されるのではなく、これら時計およびアワーメータについてもオペレータが自由に表示する領域を選択することができるようにする。また、通常、領域Ｄにおいてデジタル形式で表示されている時計が、領域Ａに表示されるときにはアナログ形式で表示されるものとする。さらに、通常、領域Ａにおいて作動油温計４２が計測する値に応じてゲージの傾斜角が変化するアナログ形式で表示されている油温計が、領域Ｄに表示されるときには、バー形式で表示されるものとする。
【００５３】
本実施例で、操作者は、領域Ａに時計を、分割領域Ｄ１にアタッチメントアワーメータを、分割領域Ｄ２にアワーメータを、分割領域Ｄ３に掘削アワーメータを、分割領域Ｄ４に油温計を表示するようにする。ここで、掘削アワーメータとは、建設機械が掘削作業に供された時間をいい、アタッチメントとしてバケットが取り付けられている時間を計測しているものをいう。
【００５４】
本実施例において、図３に示されるような画面において、操作者が「配置設定」というアイコンＩＣ７の直下にあるボタンＦ７を押下することにより、第１の設定画面に遷移する。第１の設定画面において、図１２に示されるように、油温計を分割領域Ｄ４に、時計を領域Ａに、アワーメータを分割領域Ｄ２に、アタッチメントアワーメータを分割領域Ｄ１に、掘削アワーメータを分割領域Ｄ３に表示されるように設定を行う。
【００５５】
以上のような設定を行うために、第１および第２の設定画面において、ボタンＦ２乃至Ｆ７を操作して、各項目の設定を行う。そして、１つの項目の設定が終了すると、その設定内容が項目設定情報記憶部２８に記憶される。ここで、本実施例では領域Ｄの分割領域Ｄ１、Ｄ２、Ｄ３およびＤ４の４つの領域を全て設定することができるようにするため、図１３に示されるように、表示の位置は５つの領域から選択できるようにする。このとき、既に他の項目で選択済みの領域については選択できないようにしてもよい。例えば、領域Ａに既に時計が表示されていると選択されているときは、他の項目を第２の設定画面で設定を行うときは、領域Ａにはカーソルが移動しないようにしてもよい。また、カーソルは移動することができるが、設定内容を確定させるボタンＦ６を押下したときにエラーメッセージを表示して操作者に通知するようにしてもよい。
【００５６】
そして、全ての項目について表示の設定が終了して、操作者が第１の設定画面においてボタンＦ７を押下して確定すると、各項目の設定内容が記憶されている項目設定情報記憶部２８を読み出して、表示画面作成部２７は画面部１３Ａに表示する画面のレイアウトを作成して、画面部出力制御部２５を作成されたレイアウトに従って表示するように制御して、図１４に示されるような画面を画面部１３Ａに表示する。このとき、表示画面作成部２７は、ある程度の大きさを有する領域Ａには時計をデジタル形式ではなく、オペレータが視認しやすいアナログ形式で表示し、比較的小さい領域である分割領域Ｄ４に表示される油温計は、ゲージの傾斜角が変化するアナログ形式ではなく、例えば図１４に示されるようなバー形式で表示する画面を作成する。このとき、油温計は、バー形式ではなく、デジタル形式で表示されてもよい。要は、小さい領域である分割領域Ｄ４に表示することができる形式で表示するようにする。
【００５７】
なお、実施例１および本実施例において、追加項目として、エンジンの回転数計、燃費、アタッチメントアワーメータおよび掘削アワーメータを挙げたが、これに限られず、例えばアタッチメントとしてブレーカが取り付けられている時間であるブレーカアワーメータ等を設けてもよい。他にも、燃料残量計４３と燃費を検出する機構とから建設機械の残りの作動可能な時間を算出して、この時間を追加項目としてもよい。
【００５８】
また、追加項目として、建設機械に備えられる機能に関する情報を表示するようにしてもよい。この機能としては、ＭＬ機能という機能がある。建設機械は、通常は掘削作業に使用されるが、アタッチメントをフック付きのバケットに交換することにより、クレーン作業を行うことができる。このクレーン作業を行うときに、建設機械が転倒することを防止するために、吊り荷の制限値である定格荷重と実際の荷重である実荷重とを表示する必要がある。このような定格荷重と実荷重との情報を追加項目として設け、可変表示領域である領域Ａまたは領域Ｄに表示してもよい。
【００５９】
また、機能としては、干渉防止機能という機能がある。オフセット式の建設機械を使用する場合、フロント作業機が運転室の衝突しないようにするために、フロント作業機の動作範囲を設定する必要がある。このとき設定をするために必要な情報を表示する必要があるため、可変表示領域である領域Ａまたは領域Ｄに表示してもよい。
【００６０】
さらに、建設機械を管理する管理会社と通信を行うためのメール機能や各種設定を行うための設定機能を使用するための情報を追加項目として設け、可変表示領域である領域Ａまたは領域Ｄに表示してもよい。
【実施例３】
【００６１】
次に、実施例３について説明する。本実施例は、後方視野を確保するための監視用のカメラ１０または掘削状態を確認するためのカメラ１１を画面部１３Ａに表示するように制御したものである。
【００６２】
本実施例では、領域Ａにカメラ１０または１１の映像を、分割領域Ｄ１に時計を、分割領域Ｄ２にアワーメータを、分割領域Ｄ３に掘削アワーメータを、分割領域Ｄ４に油温計を表示するように選択したものとする。そして、全ての項目の選択が終了すると、第１の設定画面において操作者はボタンＦ７を押下して設定を確定させると、表示画面作成部２７は、項目設定情報記憶部２８から各項目の設定内容を読み出して、画面部１３Ａに表示する画面のレイアウトを作成する。
【００６３】
このとき、カメラ１０または１１の映像は大きな領域に表示されなくてはならないため、本実施例では、領域Ａ、ＢおよびＣを１つの領域Ｅとする。このとき、領域Ｅは領域Ａ、ＢおよびＣが１つになったものであるため、領域Ｅには必ず水温計と燃料残量計とが表示されなくてはならない。しかしながら、カメラ１０または１１の映像の領域は最大限の大きくとることが好ましいため、水温計を表示する領域Ｅ２および燃料残量計を表示する領域Ｅ３は、図１５に示されるように、オペレータが視認することができる最小限の大きさにより形成されるようにし、領域Ｅ２およびＥ３以外を領域Ｅ１としてカメラ１０または１１の映像の領域として割り当てられた画面を表示画面作成部２７は作成する。
【００６４】
なお、本実施例では、領域Ｅ２に水温計を、領域Ｅ３に燃料残量計を表示するようにしたが、これに限られず、領域Ｅ２に燃料残量計を、領域Ｅ３に水温計を表示してもよい。要は、領域Ｅのうち大部分をカメラ１０または１１からの映像を表示する領域と、水温計および燃料残量計を表示する領域とに分割するように制御すればよい。
【図面の簡単な説明】
【００６５】
【図１】建設機械の全体構成図である。
【図２】運転室の内部の概略構成図である。
【図３】モニタの構成図である。
【図４】表示制御装置の概略構成図である。
【図５】表示制御方法の処理の流れを示すフローチャートである。
【図６】第１の設定画面の画面図である。
【図７】第２の設定画面の画面図である。
【図８】実施例１における第１の設定画面の画面図である。
【図９】実施例１における第２の設定画面の画面図である。
【図１０】実施例１における第１の設定画面の画面図である。
【図１１】実施例１における設定後のモニタの画面図である。
【図１２】実施例２における第１の設定画面の画面図である。
【図１３】実施例２における第２の設定画面の画面図である。
【図１４】実施例２における設定後のモニタの画面図である。
【図１５】実施例３における設定後のモニタの画面図である。
【符号の説明】
【００６６】
１３    モニタ                １３Ａ    画面部
２０  表示制御装置
Ａ、Ｂ、Ｃ、Ｄ、Ｅ  領域
Ｄ１、Ｄ２、Ｄ３、Ｄ４、Ｅ１、Ｅ２、Ｅ３  分割領域
ＩＣ１〜ＩＣ７  アイコン
ＩＦ１〜ＩＦ７  区画形成部
【図１】
2006016915.tif 000003
【図２】
2006016915.tif 000004
【図３】
2006016915.tif 000005
【図４】
2006016915.tif 000006
【図５】
2006016915.tif 000007
【図６】
2006016915.tif 000008
【図７】
2006016915.tif 000009
【図８】
2006016915.tif 000010
【図９】
2006016915.tif 000011
【図１０】
2006016915.tif 000012
【図１１】
2006016915.tif 000013
【図１２】
2006016915.tif 000014
【図１３】
2006016915.tif 000015
【図１４】
2006016915.tif 000016
【図１５】
2006016915.tif 000017